【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
炭水化物含有液及び炭水化物除去済みバイオマス固形物をゴム保有植物から得るための処理システムであって、
一連の複数の連続撹拌タンク抽出段において１つの連続撹拌タンク抽出段からの流出液が次の連続撹拌抽出段へと流れるような、互いに流体連通して直列に配列された前記複数の連続撹拌タンク抽出段を含む抽出システム
を含み、
各抽出システムにおいて前記連続撹拌タンク抽出段の少なくとも１つが、少なくとも約５０℃の温度で、水、水溶液、有機極性溶媒液、または非極性有機液体溶媒のうちの１つを含む液体溶媒を受け入れるように適合し構成された入口を有し、
前記抽出システムの前記少なくとも１つの連続撹拌抽出段が、バイオマスを受け入れるように適合し構成されており、
前記バイオマスがＴａｒａｘａｃｕｍ属または別の非Ｈｅｖｅａ植物のゴム保有植物からのものであり、
前記抽出システムが、前記抽出システムによって前記炭水化物含有液及び前記炭水化物除去済みバイオマス固形物が生成するような要領で前記バイオマスを前記液体溶媒と混合するように適合し構成されており；さらに、
一連の前記連続撹拌タンク抽出段の最後と流体連通して配列された固液分離器
を含み、
前記分離器が、前記炭水化物除去済みバイオマス固形物を前記炭水化物含有液から分離するように適合し構成されている、
処理システム。
【請求項２】
前記少なくとも１つの連続撹拌タンク抽出段の前記入口が、有機極性溶媒液を含む液体溶媒を受け入れるように適合し構成されており、
前記少なくとも１つの連続撹拌タンク抽出段が、前記抽出システムによって液体極性有機物画分及び極性化合物除去済みバイオマス固形物が生成するような要領で前記炭水化物除去済みバイオマス固形物を前記有機極性液体溶媒と混合するように適合し構成されており、
前記固液分離器が、前記極性化合物除去済みバイオマス固形物を前記液体極性有機物画分から分離するように適合し構成されている、
請求項１に記載の処理システム。
【請求項３】
前記少なくとも１つの連続撹拌タンク抽出段の前記入口が、有機非極性液体溶媒を含む液体溶媒を受け入れるように適合し構成されており、
前記抽出システムの前記少なくとも１つの連続撹拌抽出段が、前記抽出システムによって前記ゴム含有非極性溶媒画分及び使用済みバイオマス固形物が生成するような要領で前記炭水化物除去済みバイオマス固形物を前記非極性有機溶媒と混合するように適合し構成されており、
前記分離器が、前記使用済みバイオマス固形物を前記ゴム含有非極性溶媒画分から分離するように適合し構成されている、
請求項１に記載の処理システム。
【請求項４】
炭水化物含有液をゴム保有植物から抽出する方法であって、
一連の複数の連続撹拌タンク抽出段において１つの連続撹拌タンク抽出段からの流出液が次の連続撹拌抽出段へと流れるような、互いに流体連通して直列に配列された前記複数の連続撹拌タンク抽出段の少なくとも１つの連続撹拌タンク抽出段に、水、水溶液、有機極性液体溶媒および有機非極性液体溶媒のうちの１つを含む液体溶媒、及び前記植物またはその部分からのバイオマスを導入すること
を含み、前記ゴム保有植物がＴａｒａｘａｃｕｍ属のものまたは別の非Ｈｅｖｅａ植物であり；
前記少なくとも１つの連続撹拌タンク抽出段において、少なくとも約５０℃の温度で前記液体溶媒を前記バイオマスと混合して、前記バイオマスと会合している前記炭水化物を前記液体溶媒中に抽出するのを可能にすること；ならびに、
前記少なくとも１つの連続撹拌タンク抽出段からの流出液を固液分離器に導入して、分離された炭水化物含有液及び炭水化物除去済みバイオマス固形物を得ること
を含む、方法。
【請求項５】
液体溶媒を導入する前記ステップは、有機極性液体溶媒を導入することを含み、
混合する前記ステップは、前記固形物と会合している極性有機物画分を前記有機極性溶媒中に抽出することを可能にする要領で前記少なくとも１つの連続撹拌タンク抽出段において前記有機極性液体溶媒を前記炭水化物除去済みバイオマス固形物と混合することを含み、
前記流出液を導入する前記ステップは、前記少なくとも１つの連続撹拌タンク抽出段からの流出液を固液分離器に導入して、分離された極性有機物画分液及び極性化合物除去済みバイオマス固形物を得ることを含む、
請求項４に記載の方法。
【請求項６】
液体溶媒を導入する前記ステップは、有機非極性液体溶媒を導入することを含み、
混合する前記ステップは、前記固形物と会合している天然ゴムを前記有機非極性液体溶媒中に抽出することを可能にする要領で前記少なくとも１つの連続撹拌タンク抽出段において前記有機非極性液体溶媒を前記炭水化物除去済みバイオマス固形物と混合することを含み、
前記流出液を導入する前記ステップは、前記少なくとも１つの連続撹拌タンク抽出段からの流出液を固液分離器に導入して、分離されたゴム含有非極性溶媒画分及び使用済みバイオマス固形物を得ることを含む、
請求項４に記載の方法。
【請求項７】
（ａ）前記植物またはその部分からのバイオマス、及び水、水溶液またはそれらの組合せを含む液体溶媒を第１抽出システムに導入し；前記バイオマスと液体溶媒とを少なくとも約５０℃の温度で混合して炭水化物含有液及び炭水化物除去済みバイオマス固形物を生成し；前記炭水化物除去済みバイオマス固形物を前記炭水化物含有液から分離すること
を含み、前記ゴム保有植物がＴａｒａｘａｃｕｍ属のものまたは別の非Ｈｅｖｅａ植物であり、
（ｂ）前記第１抽出システムからの前記炭水化物除去済みバイオマス固形物、及び有機極性溶媒を第２抽出システムに導入し；前記炭水化物除去済みバイオマス固形物を前記有機極性溶媒と混合して液体極性有機物画分及び極性化合物除去済みバイオマス固形物を生成し、前記液体極性有機物画分及び極性化合物除去済みバイオマス固形物を分離すること、ならびに
（ｃ）前記第２抽出システムからの前記極性化合物除去済みバイオマス固形物、及び非極性有機溶媒を第３抽出システムに導入し；前記極性化合物除去済みバイオマス固形物を前記非極性有機溶媒と混合してゴム含有非極性溶媒画分及び使用済みバイオマス固形物を生成し；前記ゴム含有非極性溶媒画分及び使用済みバイオマス固形物を分離すること
を含み、前記第１、第２または第３抽出システムのうちの少なくとも１つが、
各抽出システムの前記一連の複数の連続撹拌タンク抽出段において１つの連続撹拌タンク抽出段からの流出液が次の連続撹拌抽出段へと流れるような、互いに流体連通して直列に配列された前記複数の連続撹拌タンク抽出段
を含み、
各抽出システムにおいて前記連続撹拌タンク抽出段の少なくとも１つが、前記溶媒を受け入れるように適合し構成された入口、及び前記バイオマスまたは前記固形物を受け入れるように適合し構成された入口を有し、
各抽出システムがさらに、前記それぞれの抽出システムの一連の前記連続撹拌タンク抽出段の最後と流体連通して配列された固液分離器を含み、
前記固液分離器が、前記炭水化物除去済みバイオマス固形物、極性化合物除去済みバイオマス固形物または使用済みバイオマス固形物を前記炭水化物含有液、前記液体極性有機物画分または前記ゴム含有非極性溶媒画分から分離するように適合し構成されている、
請求項４に記載の方法。
【請求項８】
（ａ）前記植物またはその部分からのバイオマス、及び有機極性溶媒を第１抽出システムに導入し；前記バイオマスを前記有機極性溶媒と混合して液体極性有機物画分及び極性化合物除去済みバイオマス固形物を生成し、前記液体極性有機物画分及び極性化合物除去済みバイオマス固形物を分離すること
を含み、前記ゴム保有植物がＴａｒａｘａｃｕｍ属のものまたは別の非Ｈｅｖｅａ植物であり、
（ｂ）前記第１抽出システムからの前記極性化合物除去済みバイオマス固形物、及び非極性有機溶媒を第２抽出システムに導入し；前記極性化合物除去済みバイオマス固形物を前記非極性有機溶媒と混合してゴム含有非極性溶媒画分及び使用済みバイオマス固形物を生成し；前記ゴム含有非極性溶媒画分及び使用済みバイオマス固形物を分離すること
をさらに含み、前記第１または第２抽出システムのうちの少なくとも１つが、
各抽出システムの前記一連の複数の連続撹拌タンク抽出段において１つの連続撹拌タンク抽出段からの流出液が次の連続撹拌抽出段へと流れるような、互いに流体連通して直列に配列された前記複数の連続撹拌タンク抽出段
を含み、
各抽出システムにおいて前記連続撹拌タンク抽出段の少なくとも１つが、前記溶媒を受け入れるように適合し構成された入口、及び前記バイオマスまたは前記固形物を受け入れるように適合し構成された入口を有し、
各抽出システムがさらに、前記それぞれの抽出システムの一連の前記連続撹拌タンク抽出段の最後と流体連通して配列された固液分離器を含み、
前記固液分離器が、極性化合物除去済みバイオマス固形物または使用済みバイオマス固形物を前記液体極性有機物画分または前記ゴム含有非極性溶媒画分から分離するように適合し構成されている、
請求項４に記載の方法。
【請求項９】
前記植物がＴａｒａｘａｃｕｍ属のものであり、前記植物の部分が根、茎基部またはそれらの組合せを含む、請求項８に記載の方法。
【請求項１０】
Ｔａｒａｘａｃｕｍ属の前記植物が、
Ｔ．ｋｏｋｓａｇｈｙｚもしくはその栽培品種、１つ以上のＴａｒａｘａｃｕｍ属種もしくは栽培品種からの遺伝子移入生殖質を含む品種、種間ハイブリッド生殖質を含む品種、特にＴ．ｋｏｋｓａｇｈｙｚおよびＴ．ｏｆｆｉｃｉｎａｌｅ、２つ以上の栽培品種からのハイブリッド生殖質を含む品種、任意のゴム保有Ｔａｒａｘａｃｕｍ属種、栽培品種もしくは品種の突然変異誘発もしくは遺伝子編集から生まれる品種、遺伝子導入Ｔａｒａｘａｃｕｍ植物、またはそれらの任意の組合せ
である、請求項９に記載の方法。
【請求項１１】
前記液体溶媒の温度が約５０℃〜約１００℃である、請求項８に記載の方法。
【請求項１２】
前記液体溶媒は温度が１００℃より高く圧力が大気圧より高い、請求項８に記載の方法。
【請求項１３】
前記炭水化物除去済みバイオマス固形物またはその一部を乾燥させることをさらに含む、請求項８に記載の方法。
【請求項１４】
前記少なくとも１つの連続撹拌タンク抽出段に随伴する流出液を再循環させること、ならびに
前記流出液の圧力及び温度を改変して前記溶媒における前記生成物（複数可）の溶解性を向上させること
をさらに含む、請求項８に記載の方法。
【請求項１５】
前記バイオマス、炭水化物除去済みバイオマス固形物、または極性化合物除去済みバイオマス固形物を前記液体溶媒または溶媒と混合する前記ステップが、
前記少なくとも１つの連続撹拌タンク抽出段において前記バイオマス、炭水化物除去済みバイオマス固形物、または極性化合物除去済みバイオマス固形物の粒子の前記サイズ及び形状を改変すること
を含む、請求項８に記載の方法。
【請求項１６】
以下のステップ：
（ａ）前記ゴム含有非極性溶媒画分を濾過するステップ、
（ｂ）前記ゴムを溶液中に維持しながら前記ゴム含有非極性溶媒画分中の前記非極性有機溶媒の少なくとも半分の蒸留及び／または蒸発を行って濃縮ゴム溶液を得るステップ、
（ｃ）酸化防止剤を濃縮ゴム溶液に添加するステップ、
（ｄ）冷却した有機極性溶媒を（ｂ）または（ｃ）の前記濃縮ゴム溶液に添加して前記天然ゴムを析出させるステップ、
（ｅ）前記有機極性溶媒と非極性有機溶媒と析出ゴムとの前記混合物をさらに冷却してゲル状ゴム析出物及び混合液体有機溶媒を形成するステップ。
（ｆ）前記ゲル状ゴム析出物を前記混合液体有機溶媒から分離及び除去するステップ、
（ｇ）前記ゲル状ゴム析出物を形成及び／または成形する、及び／または前記混合液体有機溶媒の一部をさらに除去するステップ、
（ｈ）前記形成及び／または成形されたゲル状ゴム析出物を乾燥させて乾燥固形ゴム生成物を得るステップ、あるいは
（ｉ）ステップ（ａ）〜（ｈ）の任意の組合せ
のうちの少なくとも１つをさらに含む、請求項８に記載の方法。
【請求項１７】
前記植物がＴａｒａｘａｃｕｍ属のものであり、前記バイオマスが、根、茎基部またはそれらの組合せを含む前記Ｔａｒａｘａｃｕｍ植物の部分から得られるものであり、前記ゴム含有非極性溶媒画分、ゲル状ゴム析出物、または乾燥固形ゴムの中のポリイソプレンが、多分散性（Ｐ）を１．１〜４とし重量平均分子量を１モルあたり約１．０×１０６〜５．０×１０６グラムとする本質的に単峰性の分子量分布を有し、前記多分散性及び前記重量平均分子量が、ゲル浸透クロマトグラフィー（ＧＰＣ）と蒸発光散乱検出との併用（ＧＰＣ−ＥＬＳＤ）によって決定される、請求項１６に記載の方法。
【請求項１８】
前記ゴム含有非極性溶媒画分、ゲル状ゴム析出物、または乾燥固形ゴムが０．５重量％未満の灰分を有する、請求項１６に記載の方法。
【請求項１９】
前記植物がＴａｒａｘａｃｕｍ属のものであり、前記バイオマスが、葉、茎、花、根、茎基部またはそれらの組合せを含む前記Ｔａｒａｘａｃｕｍ植物の部分から得られるものであり、前記ゴム含有非極性溶媒画分、ゲル状ゴム析出物、または乾燥固形ゴムが、０．５重量％未満の窒素含有量を有する、請求項１８に記載の方法。